【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
フォアグラウンドオーディオ信号を量子化するための方法であって、前記フォアグラウンドオーディオ信号が、単一の値分解を使用して高次アンビソニック（ＨＯＡ）係数を分解することによって生成され、前記フォアグラウンドオーディオ信号が、複数の球面調和係数の左特異ベクトルを表すＵ行列と、前記複数の球面調和係数の特異値を表すＳ行列との積を備え、前記フォアグラウンドオーディオ信号に関連付けられる指向性情報が、前記複数の球面調和係数の右特異ベクトルを表すＶ行列を備え、前記方法が、
少なくとも１つのプロセッサによって、前記フォアグラウンドオーディオ信号の閉ループ量子化を実行することを備え、
前記閉ループ量子化を実行することがさらに、
前記フォアグラウンドオーディオ信号に関連付けられる前記指向性情報の量子化を実行することと、
前記フォアグラウンドオーディオ信号に関連付けられる前記指向性情報の量子化を実行した結果に少なくとも部分的に基づいて、前記フォアグラウンドオーディオ信号の量子化を実行することと、
を備える、方法。
【請求項２】
前記フォアグラウンドオーディオ信号の量子化を実行することがさらに、
前記フォアグラウンドオーディオ信号に関連付けられる前記指向性情報の量子化を実行することから生じる量子化誤差に少なくとも部分的に基づいて、前記フォアグラウンドオーディオ信号の量子化を実行することを備える、請求項１に記載の方法。
【請求項３】
前記フォアグラウンドオーディオ信号に関連付けられる前記指向性情報の量子化を実行することから生じる前記量子化誤差に少なくとも部分的に基づいて、前記フォアグラウンドオーディオ信号の量子化を実行することが、
前記フォアグラウンドオーディオ信号に関連付けられる前記指向性情報の量子化を実行することから生じる前記量子化誤差を補償する、請求項２に記載の方法。
【請求項４】
前記フォアグラウンドオーディオ信号に関連付けられる前記指向性情報の量子化を実行することから生じる前記量子化誤差を補償することが、
前記フォアグラウンドオーディオ信号に関連付けられる前記指向性情報の量子化を実行した結果の擬似逆行列に少なくとも部分的に基づいて、量子化補償されたフォアグラウンドオーディオ信号を決定することと、
前記量子化補償されたフォアグラウンドオーディオ信号の量子化を実行することと、
を備える、請求項３に記載の方法。
【請求項５】
前記フォアグラウンドオーディオ信号に関連付けられる前記指向性情報の量子化を実行した結果の前記擬似逆行列に少なくとも部分的に基づいて、前記量子化補償されたフォアグラウンドオーディオ信号を決定することがさらに、
ＨＯＡ係数と、前記フォアグラウンドオーディオ信号に関連付けられる前記指向性情報の量子化を実行した結果の前記擬似逆行列との積として、前記量子化補償されたフォアグラウンドオーディオ信号を決定することを備える、請求項４に記載の方法。
【請求項６】
フォアグラウンドオーディオ信号を量子化するためのデバイスであって、前記フォアグラウンドオーディオ信号が、単一の値分解を使用して高次アンビソニック（ＨＯＡ）係数を分解することによって生成され、前記フォアグラウンドオーディオ信号が、複数の球面調和係数の左特異ベクトルを表すＵ行列と、前記複数の球面調和係数の特異値を表すＳ行列との積を備え、前記フォアグラウンドオーディオ信号に関連付けられる指向性情報が、前記複数の球面調和係数の右特異ベクトルを表すＶ行列を備え、前記デバイスが、
前記フォアグラウンドオーディオ信号と、前記フォアグラウンドオーディオ信号に関連付けられる指向性情報とを記憶するように構成されるメモリと、
少なくとも１つのプロセッサであって、
前記フォアグラウンドオーディオ信号の閉ループ量子化を実行する、ように構成されるプロセッサと、
を備え、前記閉ループ量子化を実行することが、
前記フォアグラウンドオーディオ信号に関連付けられる前記指向性情報の量子化を実行することと、
前記フォアグラウンドオーディオ信号に関連付けられる前記指向性情報の量子化を実行した結果に少なくとも部分的に基づいて、前記フォアグラウンドオーディオ信号の量子化を実行することと、
を備える、デバイス。
【請求項７】
前記フォアグラウンドオーディオ信号の量子化を実行することがさらに、
前記フォアグラウンドオーディオ信号に関連付けられる前記指向性情報の量子化を実行することから生じる量子化誤差に少なくとも部分的に基づいて、前記フォアグラウンドオーディオ信号の量子化を実行することを備える、請求項６に記載のデバイス。
【請求項８】
前記少なくとも１つのプロセッサがさらに、
前記フォアグラウンドオーディオ信号に関連付けられる前記指向性情報の量子化を実行することから生じる前記量子化誤差を補償するように構成される、請求項７に記載のデバイス。
【請求項９】
前記少なくとも１つのプロセッサがさらに、
前記フォアグラウンドオーディオ信号に関連付けられる前記指向性情報の量子化を実行した結果の擬似逆行列に少なくとも部分的に基づいて、量子化補償されたフォアグラウンドオーディオ信号を決定し、
前記量子化補償されたフォアグラウンドオーディオ信号の量子化を実行する、
ように構成される、請求項８に記載のデバイス。
【請求項１０】
前記少なくとも１つのプロセッサがさらに、
ＨＯＡ係数と、前記フォアグラウンドオーディオ信号に関連付けられる前記指向性情報の量子化を実行した結果の前記擬似逆行列との積として、前記フォアグラウンドオーディオ信号を決定するように構成される、請求項９に記載のデバイス。
【請求項１１】
前記ＨＯＡ係数を示すオーディオデータをキャプチャするように構成されるマイクロフォンアレイをさらに備える、請求項１０に記載のデバイス。
【請求項１２】
請求項１〜５のうちのいずれか一項の方法に従って量子化されたフォアグラウンドオーディオ信号を逆量子化するための方法であって、
ビットストリームを受信することと、
前記量子化されたフォアグラウンドオーディオ信号および前記フォアグラウンドオーディオ信号に関連付けられる量子化された指向性情報を取得するために、前記ビットストリームを復号することと、
少なくとも１つのプロセッサによって、前記フォアグラウンドオーディオ信号を逆量子化することと、
を備える、方法。
【請求項１３】
請求項１〜５のうちのいずれか一項の方法に従って量子化されたフォアグラウンドオーディオ信号を逆量子化するためのデバイスであって、
前記量子化されたフォアグラウンドオーディオ信号および前記フォアグラウンドオーディオ信号に関連付けられる量子化された指向性情報を記憶するように構成されるメモリと、
前記フォアグラウンドオーディオ信号を逆量子化するように構成されるプロセッサと、
を備えるデバイス。
【請求項１４】
前記逆量子化されたオーディオオブジェクトからレンダリングされたラウドスピーカーフィードを再生するように構成されるスピーカーをさらに備える、請求項１３に記載のデバイス。
【手続補正２】
【補正対象書類名】明細書
【補正対象項目名】０１３４
【補正方法】変更
【補正の内容】
【０１３４】
[0144]本開示の様々な態様が説明された。本技法のこれらおよび他の態様は、以下の特許請求の範囲内に入る。
以下に本願の出願当初の特許請求の範囲に記載された発明を付記する。
［Ｃ１］
フォアグラウンドオーディオ信号を量子化するための方法であって、
少なくとも１つのプロセッサによって、オーディオオブジェクトに関連付けられる指向性情報の量子化を実行した結果に少なくとも部分的に基づいて、前記オーディオオブジェクトの閉ループ量子化を実行することを備える、方法。
［Ｃ２］
前記オーディオオブジェクトの前記閉ループ量子化を実行することがさらに、
前記オーディオオブジェクトに関連付けられる前記指向性情報の量子化を実行することと、
前記オーディオオブジェクトに関連付けられる前記指向性情報の量子化を実行した結果に少なくとも部分的に基づいて、前記オーディオオブジェクトの量子化を実行することと、
を備える、Ｃ１に記載の方法。
［Ｃ３］
前記オーディオオブジェクトの量子化を実行することがさらに、
前記オーディオオブジェクトに関連付けられる前記指向性情報の量子化を実行することから生じる量子化誤差に少なくとも部分的に基づいて、前記オーディオオブジェクトの量子化を実行することを備える、Ｃ２に記載の方法。
［Ｃ４］
前記オーディオオブジェクトに関連付けられる前記指向性情報の量子化を実行することから生じる前記量子化誤差に少なくとも部分的に基づいて、前記オーディオオブジェクトの量子化を実行することがさらに、
前記オーディオオブジェクトに関連付けられる前記指向性情報の量子化を実行することから生じる前記量子化誤差を補償することを備える、Ｃ３に記載の方法。
［Ｃ５］
前記オーディオオブジェクトに関連付けられる前記指向性情報の量子化を実行することから生じる前記量子化誤差を補償することがさらに、
前記オーディオオブジェクトに関連付けられる前記指向性情報の量子化を実行した結果の擬似逆行列に少なくとも部分的に基づいて、量子化補償されたオーディオオブジェクトを決定することと、
前記量子化補償されたオーディオオブジェクトの量子化を実行することと、
を備える、Ｃ４に記載の方法。
［Ｃ６］
前記オーディオオブジェクトに関連付けられる前記指向性情報の量子化を実行した結果の前記擬似逆行列に少なくとも部分的に基づいて、前記量子化補償されたオーディオオブジェクトを決定することがさらに、
高次アンビソニック（ＨＯＡ）係数と、前記オーディオオブジェクトに関連付けられる前記指向性情報の量子化を実行した前記結果の前記擬似逆行列との積として、前記量子化補償されたオーディオオブジェクトを決定することを備える、Ｃ５に記載の方法。
［Ｃ７］
前記オーディオオブジェクトおよび前記指向性情報が、高次アンビソニック係数から分解され、
前記オーディオオブジェクトが、複数の球面調和係数の左特異ベクトルを表すＵ行列と、前記複数の球面調和係数の特異値を表すＳ行列との積を備え、
前記オーディオオブジェクトに関連付けられる前記指向性情報が、前記複数の球面調和係数の右特異ベクトルを表すＶ行列を備える、Ｃ１に記載の方法。
［Ｃ８］
フォアグラウンドオーディオ信号を量子化するためのデバイスであって、
オーディオオブジェクトと、前記オーディオオブジェクトに関連付けられる指向性情報とを記憶するように構成されるメモリと、
少なくとも１つのプロセッサであって、
前記オーディオオブジェクトに関連付けられる前記指向性情報の量子化を実行した結果に少なくとも部分的に基づいて、前記オーディオオブジェクトの閉ループ量子化を実行する、ように構成されるプロセッサと、
を備える、デバイス。
［Ｃ９］
前記少なくとも１つのプロセッサがさらに、
前記オーディオオブジェクトに関連付けられる前記指向性情報の量子化を実行し、
前記オーディオオブジェクトに関連付けられる前記指向性情報の量子化を実行した結果に少なくとも部分的に基づいて、前記オーディオオブジェクトの量子化を実行する、
ように構成される、Ｃ８に記載のデバイス。
［Ｃ１０］
前記オーディオオブジェクトの量子化を実行することがさらに、
前記オーディオオブジェクトに関連付けられる前記指向性情報の量子化を実行することから生じる量子化誤差に少なくとも部分的に基づいて、前記オーディオオブジェクトの量子化を実行することを備える、Ｃ９に記載のデバイス。
［Ｃ１１］
前記少なくとも１つのプロセッサがさらに、
前記オーディオオブジェクトに関連付けられる前記指向性情報の量子化を実行することから生じる前記量子化誤差を補償するように構成される、Ｃ１０に記載のデバイス。
［Ｃ１２］
前記少なくとも１つのプロセッサがさらに、
前記オーディオオブジェクトに関連付けられる前記指向性情報の量子化を実行した結果の擬似逆行列に少なくとも部分的に基づいて、量子化補償されたオーディオオブジェクトを決定し、
前記量子化補償されたオーディオオブジェクトの量子化を実行する、
ように構成される、Ｃ１１に記載のデバイス。
［Ｃ１３］
前記少なくとも１つのプロセッサがさらに、
高次アンビソニック（ＨＯＡ）係数と、前記オーディオオブジェクトに関連付けられる前記指向性情報の量子化を実行した前記結果の前記擬似逆行列との積として、前記オーディオオブジェクトを決定するように構成される、Ｃ１２に記載のデバイス。
［Ｃ１４］
前記ＨＯＡ係数を示すオーディオデータをキャプチャするように構成されるマイクロフォンをさらに備える、Ｃ１３に記載のデバイス。
［Ｃ１５］
オーディオオブジェクトを逆量子化するための方法であって、
少なくとも１つのプロセッサによって、オーディオオブジェクトに関連付けられる指向性情報の量子化を実行した結果に少なくとも部分的に基づいて、閉ループ量子化された前記オーディオオブジェクトを取得することと、
前記少なくとも１つのプロセッサによって、前記オーディオオブジェクトを逆量子化することと、
を備える、方法。
［Ｃ１６］
前記オーディオオブジェクトは、前記オーディオオブジェクトに関連付けられる前記指向性情報を量子化することと、前記オーディオオブジェクトに関連付けられる前記指向性情報を量子化した結果に少なくとも部分的に基づいて前記オーディオオブジェクトを量子化することとによって、閉ループ量子化される、Ｃ１５に記載の方法。
［Ｃ１７］
前記オーディオオブジェクトは、前記オーディオオブジェクトに関連付けられる前記指向性情報を量子化することと、前記オーディオオブジェクトに関連付けられる前記指向性情報を量子化することから生じる量子化誤差に少なくとも部分的に基づいて前記オーディオオブジェクトを量子化することとによって、閉ループ量子化される、Ｃ１５に記載の方法。
［Ｃ１８］
前記オーディオオブジェクトは、
前記オーディオオブジェクトに関連付けられる前記指向性情報を量子化することと、前記オーディオオブジェクトに関連付けられる前記指向性情報の量子化を実行することから生じる前記量子化誤差を補償することを含む、前記オーディオオブジェクトに関連付けられる前記指向性情報を量子化することから生じる前記量子化誤差に少なくとも部分的に基づいて前記オーディオオブジェクトを量子化することとによって、閉ループ量子化される、Ｃ１５に記載の方法。
［Ｃ１９］
前記オーディオオブジェクトは、前記オーディオオブジェクトに関連付けられる前記指向性情報を量子化することと、前記オーディオオブジェクトに関連付けられる前記指向性情報を量子化した結果の逆擬似行列に少なくとも部分的に基づいて、量子化補償されたオーディオオブジェクトを決定することと、前記量子化補償されたオーディオオブジェクトを量子化することとによって、閉ループ量子化される、Ｃ１５に記載の方法。
［Ｃ２０］
前記オーディオオブジェクトは、高次アンビソニック（ＨＯＡ）係数と、前記オーディオオブジェクトに関連付けられる前記指向性情報の量子化を実行した前記結果の前記擬似逆行列との積として、前記量子化補償されたオーディオオブジェクトを決定することによって、閉ループ量子化される、Ｃ１９に記載の方法。
［Ｃ２１］
前記オーディオオブジェクトおよび前記指向性情報は、高次アンビソニック係数から分解され、
前記オーディオオブジェクトは、複数の球面調和係数の左特異ベクトルを表すＵ行列と、前記複数の球面調和係数の特異値を表すＳ行列との積を備え、
前記オーディオオブジェクトに関連付けられる前記指向性情報は、前記複数の球面調和係数の右特異ベクトルを表すＶ行列を備える、
Ｃ１５に記載の方法。
［Ｃ２２］
ビットストリームを受信することと、
前記閉ループ量子化されたオーディオオブジェクトおよび前記量子化された指向性情報を取得するために、前記ビットストリームを復号することと、
をさらに備える、Ｃ１５に記載の方法。
［Ｃ２３］
フォアグラウンドオーディオ信号を逆量子化するためのデバイスであって、
オーディオオブジェクトを記憶するように構成されるメモリと、
少なくとも１つのプロセッサであって、
前記オーディオオブジェクトに関連付けられる指向性情報の量子化を実行した結果に少なくとも部分的に基づいて、閉ループ量子化された前記オーディオオブジェクトを取得し
前記オーディオオブジェクトを逆量子化する、
ように構成されるプロセッサと、
を備えるデバイス。
［Ｃ２４］
前記オーディオオブジェクトは、前記オーディオオブジェクトに関連付けられる前記指向性情報を量子化することと、前記オーディオオブジェクトに関連付けられる前記指向性情報を量子化した結果に少なくとも部分的に基づいて前記オーディオオブジェクトを量子化することとによって、閉ループ量子化される、Ｃ２３に記載のデバイス。
［Ｃ２５］
前記オーディオオブジェクトは、前記オーディオオブジェクトに関連付けられる前記指向性情報を量子化することと、前記オーディオオブジェクトに関連付けられる前記指向性情報を量子化することから生じる量子化誤差に少なくとも部分的に基づいて前記オーディオオブジェクトを量子化することとによって、閉ループ量子化される、Ｃ２３に記載のデバイス。
［Ｃ２６］
前記オーディオオブジェクトは、前記オーディオオブジェクトに関連付けられる前記指向性情報を量子化することと、前記オーディオオブジェクトに関連付けられる前記指向性情報の量子化を実行することから生じる前記量子化誤差を補償することを含む、前記オーディオオブジェクトに関連付けられる前記指向性情報を量子化することから生じる前記量子化誤差に少なくとも部分的に基づいて前記オーディオオブジェクトを量子化することとによって、閉ループ量子化される、Ｃ２３に記載のデバイス。
［Ｃ２７］
前記オーディオオブジェクトは、前記オーディオオブジェクトに関連付けられる前記指向性情報を量子化することと、前記オーディオオブジェクトに関連付けられる前記指向性情報を量子化した結果の逆擬似行列に少なくとも部分的に基づいて、量子化補償されたオーディオオブジェクトを決定することと、前記量子化補償されたオーディオオブジェクトを量子化することとによって、閉ループ量子化される、Ｃ２３に記載のデバイス。
［Ｃ２８］
前記オーディオオブジェクトは、高次アンビソニック（ＨＯＡ）係数と、前記オーディオオブジェクトに関連付けられる前記指向性情報の量子化を実行した前記結果の前記擬似逆行列との積として、前記量子化補償されたオーディオオブジェクトを決定することによって、閉ループ量子化される、Ｃ２７に記載のデバイス。
［Ｃ２９］
前記逆量子化されたオーディオオブジェクトからレンダリングされたラウドスピーカーフィードを再生するように構成されるスピーカーをさらに備える、Ｃ２３に記載のデバイス。
［Ｃ３０］
前記少なくとも１つのプロセッサがさらに、
ビットストリームを受信し、
前記閉ループ量子化されたオーディオオブジェクトおよび前記量子化された指向性情報を取得するために、前記ビットストリームを復号する、
ように構成される、Ｃ２３に記載のデバイス。